(57)【要約】【課題】  本発明はデジタルディスプレイ装置の解像度が高くなるとしても低性能のマイコンによりエラーのないサンプリングクロックの位置調整が可能なデジタルディスプレイ装置のサンプリング位置調整装置及びその方法を提供する。【解決手段】  本アナログ映像信号をデジタル信号に変換することに当ってサンプリング位置調整装置は、アナログビデオ信号をデジタル信号に変換するためのサンプリングクロック信号の周波数を変換して出力するＰＬＬ回路部と、ＰＬＬ回路部から入力されるサンプリングクロック信号によって入力されるアナログビデオ信号をデジタル信号に変換するＡ/Ｄコンバーターと、Ａ/Ｄコンバーターにて変換されたビデオ信号の相変移値が最大の位置を検出する検出部と、検出部から検出された最大相変移位置に応じてサンプリング位置が調整されるよう前記ＰＬＬ回路部を制御する制御部とを含む。【選択図】      図３
2004173262.tif 000002
【特許請求の範囲】
【請求項１】
アナログビデオ信号をデジタル信号に変換するためのサンプリングクロック信号の周波数を変換して出力するＰＬＬ回路部と、
該ＰＬＬ回路部から入力されるサンプリングクロック信号により入力される前記アナログビデオ信号をデジタル信号に変換するＡ/Ｄコンバーターと、
該Ａ/Ｄコンバーターにて変換されたビデオ信号の相変移値が最大な位置を検出する検出部と、
該検出部から検出された最大相変移位置に応じてサンプリング位置が調整されるよう前記ＰＬＬ回路部を制御する制御部とを含むことを特徴とするデジタルディスプレイ装置のサンプリング位置調整装置。
【請求項２】
前記検出部は、
前記所定の区間において基準レベル以上の相変移が設定個以上に発生したかを検出し、位相の変移が設定値以上に発生されたと判断されれば、前記区間内で前記位相の変移が最大な位置を検出することを特徴とする請求項１に記載のデジタルディスプレイ装置のサンプリング位置調整装置。
【請求項３】
前記検出部は、
前記Ａ/Ｄコンバーターから入力される前記ビデオ信号と基準値とを比べて前記ビデオ信号が基準レベル以上に変移したかを検出する比較部と、該比較部の出力信号をカウントして最高変移位置を検出するカウンターと、前記ビデオ信号との比較のため前記比較部に前記基準値を印加する基準値設定部とを含むことを特徴とする請求項１に記載のデジタルディスプレイ装置のサンプリング位置調整装置。
【請求項４】
前記制御部は、
前記検出部から出力される信号に応じて前記区間において基準レベル以上の位相の変移が設定個以上に発生しないと判断されれば、相変移検出区間を変更して相変移位置を検出するよう検出部を制御することを特徴とする請求項１に記載のデジタルディスプレイ装置のサンプリング位置調整装置。
【請求項５】
前記制御部は、
前記最大変移位置を基準にして全チェック区間の５０％地点、または７５％地点のうち入力される前記ビデオ信号の特性に従って何れの１つの位置を算出してサンプリング位置を調整することを特徴とする請求項１に記載のデジタルディスプレイ装置のサンプリング位置調整装置。
【請求項６】
ａ）入力されるビデオ信号の所定区間をデジタル信号に変換して変換された信号を分析するステップと、
ｂ）前記ａ）ステップにて分析された前記信号が基準レベル以上に変化される相変移が、所定区間において設定個以上に発生するかを判断するステップと、
ｃ）前記ｂ）ステップにて設定個以上に発生したと判断されれば、前記所定区間内において最大相変移位置を検出するステップと、
ｄ）前記ｃ）ステップにて検出された変移位置に応じてサンプリング位置を調整するステップとを含むことを特徴とするデジタルディスプレイ装置のサンプリング位置調整方法。
【請求項７】
前記ｂ）ステップにて、基準レベル以上の変移が設定個以上に発生しないと判断されれば、前記相変移検出区間を変更した後、前記ａ）ステップにリターンするステップとを更に含むことを特徴とする請求項６に記載のデジタルディスプレイ装置のサンプリング位置調整方法。
【請求項８】
前記ｃ）ステップにて、前記所定区間内において前記自動サンプリングクロックが完了されれば、画素の位相を移動しつつ前記入力信号の最大相変移位置を検出することを特徴とする請求項６に記載のデジタルディスプレイ装置のサンプリング位置調整方法。
【請求項９】
前記ｄ）ステップにて、全区間において前記最大変移位置を基準にして入力されるビデオ信号の特性に従って５０％地点、または７５％地点のうち何れの１つの位置を算出してサンプリング位置を調整することを特徴とする請求項６に記載のデジタルディスプレイ装置のサンプリング位置調整方法。
【発明の詳細な説明】
【技術分野】
【０００１】
本発明は、デジタルディスプレイ装置のサンプリング位置調整装置及びその方法に関し、特に、アナログビデオ信号をデジタル信号の方に変換するに当ってビデオ信号の相変移発生程度に従ってデジタルディスプレイ装置のサンプリング位置を調整する調整装置及びその方法に関する。
【背景技術】
【０００２】
表面表示装置（ＦＰＤ）、特に液晶表示装置（ＬＣＤ）の需要の急増に伴ってＦＰＤには入力アナログ映像信号をデジタル信号の方に変換してＦＰＤの特性に適した映像信号のフォマット変換を行なって表示する映像処理装置が開発・適用されている。
【０００３】
アナログ信号をデジタル信号に変換するためにはクロック信号を生成するようになる。信号源と生成されたクロック信号の位相が正確に一致しなければ画質の特性が悪くなるので、信号源に変化が生じる度にサンプリングクロック信号の位相をしきりに調整しなければならない。
【０００４】
従来のサンプリングクロック信号の位相調整方法には、ピクセルデータとデジタル信号の水平解像度とを比較してその差に従ってサンプリングクロック信号の位相を調整する方法があった。
【０００５】
前述のようなサンプリング位相調整方法が行われるサンプリング位相調整装置は、アナログビデオ信号が入力される入力レベルインタフェースと、アナログ映像信号をデジタル信号に変換させるためのＡ/Ｄコンバーターと、サンプリングクロックを生成してＡ/Ｄコンバーターに供給するＰＬＬ回路と、有効の映像信号が存する領域にて画素数を検出するデータラッチ/ロジック部と、入力ビデオ信号と水平解像度に従ってＰＬＬデータを変換しＰＬＬを制御するための制御部と、水平同期信号と垂直同期信号に従って入力信号情報を生成し制御部に供給する同期信号処理部とを備える。
【０００６】
図１は、このようなサンプリング位相調整装置によるアクティブ領域の画素数を検出してサンプリングクロックを調整する方法を示すフローチャートである。同図のように、まず、同期信号処理部によって処理された入力されるアナログビデオ信号の水平及び垂直同期信号に応じて制御部は入力映像信号の解像度モードを判別する（Ｓ１）。入力されるビデオ信号の解像度モードが判別されれば、制御部はその解像度モードに応じるＰＬＬデータをＰＬＬ回路に供給してＰＬＬをセッティングし、セッティングされたＰＬＬ回路は基本サンプリング周波数でサンプリングクロックを発生する（Ｓ２）。サンプリングクロックにより入力されるアナログビデオ信号がＡ/Ｄコンバーティングされれば、データラッチ/ロジック部はアクティブ領域の画素数を検出する（Ｓ３）。検出されたアクティブ領域にての画素数と基本画素数とを比較して（Ｓ４）その差の絶対値が１であればアクティブ領域の画素数に応じてサンプリング位置を最適位置として調整する（Ｓ５）。Ｓ４においてその差が１でないと判別されれば、制御部はＳ２及びＳ３を再び行なう。そして、Ｓ５を行なってサンプリング位置を調整した後、制御部は検出されたアクティブ領域の画素数と基本画素数が同一するかを判別した後（Ｓ６）、同一であれば検出されたアクティブ領域の画素数に応じて水平位置を調整する（Ｓ７）。Ｓ６において同一しなければＳ２に戻ってサンプリング位置を再調整する。
【０００７】
ところが、このようにアクティブ領域を検索してアクティブ領域において画素数と基本画素数とを比べその差に応じてサンプリングクロックの位置を調整する方法は、デジタルディスプレイ装置に設けられる低用量のマイコンによって行なうにはその演算のための多くの負荷がかけられ、よってデジタルディスプレイ装置の解像度が高くなるにつれ相当の演算時間がかかる。時間の短縮のため検出データの幅を縮めると最適のサンプリング位置を探し出せないという問題点を持つ。
【０００８】
前述のような方法以外にもビデオデープの幅を用いたサンプリング位置の調整方法が挙げられる。これは水平同期信号を基準にアクティブビデオ画素から最初と最後のアクティブデータの有無を認識し、アクティブ領域を比較して同じであれば２つの位相位置値を用いてサンプリング位置を決定する方法である。ところが、最初の部分と最後の部分のアクティブデータがワンドットオン/オフパターンのような明らかな差異が見られないパターンを有しつつ水平的に最初部分または最後部分のデータ値がない場合、あるいはアクティブデータが小さくノイズが入ってきて最初の部分と最後の部分のうち何れの部分がデータの領域判断のための位相位置値が誤って認識された場合、エラーが発生する。つまり、最初と最後の２つの位相位置の中間値をサンプリング位置として採る方式はそのパターンや条件によってエラー発生率が高まる恐れがある。
【発明の開示】
【発明が解決しようとする課題】
【０００９】
本発明は前述した問題点を解決するために案出されたもので、本発明の目的はデジタルディスプレイ装置の解像度が高くなるとしても低性能のマイコンによりエラーのないサンプリングクロックの位置調整が可能なデジタルディスプレイ装置のサンプリング位置調整装置及びその方法を提供することになる。
【課題を解決するための手段】
【００１０】
前記目的を達成するための本発明によれば、アナログビデオ信号をデジタル信号の方に変換するためのサンプリングクロック信号の周波数を変換して出力するＰＬＬ回路部と、ＰＬＬ回路部から入力されるサンプリングクロック信号によって入力されるアナログビデオ信号をデジタル信号の方に変換するＡ/Ｄコンバーターと、Ａ/Ｄコンバーターにて変換されたビデオ信号の相変移値が最大の位置を検出する検出部と、検出部から検出された最大相変移位置に応じてサンプリング位置が調整されるよう前記ＰＬＬ回路部を制御する制御部とを含むデジタルディスプレイ装置のサンプリング位置調整装置が提供される。
【００１１】
前記検出部は、所定の区間において基準レベル以上の相変移が設定個以上に発生したかを検出して位相の変移が設定値以上に発生されたと判断されれば、前記区間内において位相の変移が最大な位置を検出することを特徴とする。
【００１２】
更に、前記検出部は、Ａ/Ｄコンバーターから入力されるビデオ信号と基準値を比べてビデオ信号が基準レベル以上に変移したかを検出する比較部と、比較部の出力信号をカウントして最高変移位置を検出するカウンターと、前記比較部にビデオ信号との比較のため前記基準値を入力する基準値設定部と、からなることが好ましい。
【００１３】
前記制御部は、前記区間において基準レベル以上の位相の変移が設定個以上に発生しないと判断されれば、相変移検出区間を変更して相変移位置を検出するよう検出部を制御することを特徴とする。
【００１４】
更に、前記制御部は、入力されるビデオ信号の特性に従って前記最大変移位置を基準にして全チェック区間の５０％地点、または７５％地点のうち選択された何れの１つの位置を算出してサンプリング位置を調整するようＰＬＬ回路部を制御することを特徴とする。
【００１５】
尚、本発明によれば、入力ビデオ信号をデジタル信号に変換して信号を分析するステップと、前記ステップにて分析された信号が所定区間において基準レベル以上に変化される相変移が設定個以上に発生するかを判断するステップと、前記ステップにて設定個以上に発生したと判断されれば、前記所定区間内において最大相変移位置を検出するステップと、前記ステップにて検出された変移位置に応じてサンプリング位置を調整するステップとを含むデジタルディスプレイ装置のサンプリング位置調整方法が提供される。
【００１６】
前記変移発生個の判断ステップにて基準レベル以上の変移が設定個以上に発生しないと判断されれば、前記相変移検出区間を変更した後、前記信号分析ステップにリターンするステップとを更に含むことが好ましい。
【００１７】
そして、前記検出ステップにて、前記所定区間内において前記自動サンプリングクロックが完了されれば、画素の位相を移動しつつ前記入力信号の最大相変移位置を検出することが好ましい。
【００１８】
更に、前記調整ステップは、全区間において前記最大変移位置を基準にして入力されるビデオ信号の特性に従って５０％地点、または７５％地点のうち何れの１つの位置を算出してサンプリング位置を調整することを特徴とする。
【発明の効果】
【００１９】
本発明によれば、高解像度のデジタルディスプレイ装置においても低用量のマイコンを用いて正確かつ素早くサンプリング位置が設定できる。
【発明を実施するための最良の形態】
【００２０】
以下、本発明に係る実施例を添付された図を参照して詳細に説明する。
【実施例】
【００２１】
図３は、本発明に係るデジタルディスプレイ装置のサンプリング位置調整装置を示すブロック図である。同図のように、本発明によるデジタルディスプレイ装置はアナログビデオ信号が印加されるＡ/Ｄコンバーター１０と、Ａ/Ｄコンバーター１０に連結されるグラフィック制御部２０と、Ａ/Ｄコンバーター１０に連結されサンプリングクロック信号を印加するＰＬＬ回路部３０と、比較部４１、カウンター４３、基準値設定部４２からなる検出部４０と、全システムを制御する制御部５０とを含む。
【００２２】
ＰＬＬ回路部３０は、制御部５０から入力される制御信号に応じてサンプリングクロック信号の周波数及び位置を変換させＡ/Ｄコンバーター１０に印加する。Ａ/Ｄコンバーター１０は、ＰＬＬ回路部３０から入力されるサンプリングクロック信号に応じて入力されるアナログビデオ信号をデジタル信号の方に変換する。グラフィック制御部２０は、制御部５０から印加される制御信号に応じてＡ/Ｄコンバーター１０にて変換されたデジタル信号をスケーリングしてディスプレイパネルに映像信号をディスプレイする。
【００２３】
検出部４０は、Ａ/Ｄコンバーター１０にて変換されたビデオ信号を基準値と比べる比較部４１と、比較部４１の出力信号をカウントするカウンター４３、比較部４１に基準値を印加する基準値設定部４２からなるビデオ信号の相変移を検出する。
【００２４】
比較部４１は、Ａ/Ｄコンバーター１０にて変換されたビデオ信号を基準値と比べてビデオン信号の相変移程度を検出する。比較部４１の出力信号に応じてビデオ信号の相変移程度が検出される。基準値はディスプレイ装置の製造時またはユーザが相変移の基準を決めるために基準値設定部４２に設定される。比較部４１の出力値はカウンター４３に印加される。カウンター４３は比較部４１の出力信号をカウントして最大相変移の位置を判断し、設定レベル以上の相変移個数を検出する。
【００２５】
制御部５０は、初期化時にビデオ信号の水平同期信号に応じてＰＬＬ回路部３０に制御信号が印加されサンプリングクロック信号が出力される。これによりオートクロッキングを行い、検出部４０から出力される相変移検出信号に応じてＰＬＬ回路部３０に制御信号を印加してサンプリングクロック信号の位置及び周波数を設定、位相を変換させ、ディスプレイパネルの解像度を認識して全システムを制御する。
【００２６】
前述したように本発明に係るデジタルディスプレイ装置のサンプリング位置調整装置の調整方法を図４を参照しながら詳細に説明する。
【００２７】
制御部５０は、入力される水平同期信号によって現のビデオモードの解像度を認識する。認識した解像度によって全システムを制御するための制御信号をＡ/Ｄコンバーター１０とグラフィック制御部２０に出力する。すると、Ａ/Ｄコンバーター１０は入力されるアナログビデオ信号源が変化される場合、アナログビデオ信号とＰＬＬ回路部３０からＡ/Ｄコンバーター１０に入力されるサンプリングクロックの位相が正確に合わなくなるので、サンプリングクロックの位相を調整するためにＡ/Ｄコンバーター１０から出力されるビデオ信号のうち所定区間のＲＧＢビデオ信号を分析する（Ｓ１０）。
【００２８】
比較部４１は、Ａ/Ｄコンバーター１０からのビデオ信号を入力され基準値設定部４２から印加された基準値と比較して変移が発生したかを判断する。基準値を設定することによりノイズ成分を排除し、より確実な相変移データ値を取合することが可能になる。比較部４１の出力信号はカウンター４３に印加される。カウンター４３のカウントにより基準レベル以上の相変移が発生した個数が設定個以上であるかを判断する（Ｓ２０）。検出区間においてカウントされた相変移発生個が設定個以下である場合には、検出区間を変更してデータを再び検出する（Ｓ２１）。基準レベル以上の相変移が発生し、検出区間においてオートクロッキングが完了されれば（Ｓ３０）、カウンター４３によりカウントされる比較部４１の出力信号に応じて最大相変移の位置を検出する（Ｓ５０）。最大相変移の位置が検出されればその位置を基準にしてサンプリング基準位置を算出する。
【００２９】
一方、図２はビデオ信号とこれについてオートクロッキングを示すグラフである。ビデオ信号は実線で示し、グラフは画素クロッキングを示す。
【００３０】
連続的なアナログ信号データは、図２のグラフのように相変移区間を有する。単純パターンの場合には相変移の区間が小さく、ワンドットオン/オフパターンの場合には多数の相変移区間が存する。かかる相変移の区間中には図２の２番クロッキングと４番クロッキングなどは正の相変移区間を示したものであり、５番は負に変移する区間を示したものである。
【００３１】
変移レベルの基準値を設定して変移が発生するかを判断する。現在のピクセルとその続きのピクセルの変化値の臨界値に変移レベルの基準値を設定し変移の発生可否を判断する。判断はアナログ信号がデジタルにサンプリングされた８ビット値を用いてその差で検出する。例えば、ビデオ信号データのフルレンジ７００ｍＶを８ビット２５６階調でサンプリングし、臨界値を５４ｍＶで行なう場合デジタルにては１４hex値を基準レベルとしてプログラムに設定する。
【００３２】
このように変移レベルの基準値を設定すればノイズ成分を排除し、より確実な相変移データ値を取合することが可能となる。
【００３３】
サンプリング基準位置の算出につき図２を例に挙げて説明すれば次の通りである。同図のように、８番のクロッキングが最大相変移の区間である。サンプリングの最適点は信号の特徴に従って全体クロッキングを基準にして５０％地点または７５％地点で決める。全体クロッキングが３２クロッキングである場合、８番クロッキングが最大であるため信号の特性によって５０％地点が最適点であれば８＋１６＝２４番クロッキングがサンプリング最適点となる。
【００３４】
かかる区間チェックは、全フレームに渡って行なう必要がなく、何ヶ所の区間だけを設定してチェックする。区間の変移は一緒に動くため全フレームをチェックすることは好ましくない。また少ない区間であっても設定値以上の相変移が生じる区間を設定すればよい。
【００３５】
従って、自動位相調整のためのサンプリング位置設定は、望む検出区間にてユーザが設定する程度の相変移が発生したのかが重要である。設定値以上の相変移が発生しないと判断されれば検出区間を移動して再び行なう。
【００３６】
以上、添付図面を参照しながら本発明に係る好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【図面の簡単な説明】
【００３７】
【図１】従来のサンプリングクロック位相調整方法の動作順を示すフローチャートである。
【図２】本発明に係るアナログビデオ信号の相変移とサンプリングクロックを示すグラフである。
【図３】本発明に係るサンプリング位置調整装置を概略的に示すブロック図である。
【図４】図３のサンプリング位置調整装置による調整方法を示すフローチャートである。
【符号の説明】
【００３８】
１０  Ａ/Ｄコンバーター
２０  グラフィック制御部
３０  ＰＰＬ回路部
４０  検出部
４１  比較部
４２  基準値設定部
４３  カウンター
５０  制御部
【図１】
2004173262.tif 000003
【図２】
2004173262.tif 000004
【図３】
2004173262.tif 000005
【図４】
2004173262.tif 000006